(57)【要約】【課題】  線画の全域に色付きが発生していても、色付きを検出する。【解決手段】  読取制御部３１は、基準解像度を得るための基準読取線速より高い読取線速でイメージセンサー５の読取位置を前記副走査方向へ移動させつつ、原稿からの反射光に基づいてラインセンサー５Ｒ，５Ｇ，５Ｂで副走査方向においてそれぞれ異なる読取位置でのＲＧＢの画素値を検出する。色付き除去部３３は、色付き除去処理において、（ａ）注目画素が、線画の画素属性を有するカラー画素であり、かつ、（ｂ）副走査方向における注目画素の前後の２つの近接画素の一方が、線画の画素属性を有するカラー画素であり、（ｃ）注目画素と、線画の画素属性を有するカラー画素である近接画素との間の色相差が所定の閾値以上である場合、注目画素に色付きが発生していると判定する。【選択図】  図２
2018056988.tif 000002
【特許請求の範囲】
【請求項１】
ＲＧＢに対応する３つのラインセンサーを備えるイメージセンサーと、
基準解像度を得るための基準読取線速より高い読取線速で前記イメージセンサーの読取位置を前記副走査方向へ移動させつつ、原稿からの反射光に基づいて前記ラインセンサーで前記副走査方向においてそれぞれ異なる読取位置でのＲＧＢの画素値を検出する読取制御部と、
前記原稿画像内の各画素について、線画であるか否かを示す画素属性を特定する画素属性特定部と、
前記原稿画像内の注目画素に色付きが発生しているか否かを判定し、前記注目画素に色付きが発生している場合には、前記注目画素の色付きを除去する色付き除去処理を実行する色付き除去部とを備え、
前記色付き除去部は、前記色付き除去処理において、（ａ）前記注目画素が、線画の前記画素属性を有するカラー画素であり、かつ、（ｂ）副走査方向において前記注目画素に対して前後に近接する２つの近接画素の一方が、線画の前記画素属性を有するカラー画素であり、（ｃ）前記注目画素と、線画の前記画素属性を有するカラー画素である前記近接画素との間の色相差が所定の閾値以上である場合、前記注目画素に色付きが発生していると判定し、前記注目画素の色付きを除去すること、
を特徴とする画像読取装置。
【請求項２】
前記色付き除去部は、前記色付き除去処理において、（ａ）前記注目画素が、線画の前記画素属性を有するカラー画素であり、かつ、（ｂ）前記２つの近接画素の一方が、線画の前記画素属性を有するカラー画素であり、かつ前記２つの近接画素の他方が、非線画の前記画素属性を有するかグレー画素であり、かつ、（ｃ）前記注目画素と、線画の前記画素属性を有するカラー画素である前記近接画素との間の色相差が所定の閾値以上である場合、前記注目画素に色付きが発生していると判定し、前記注目画素の色付きを除去することを特徴とする請求項１記載の画像読取装置。
【請求項３】
前記色付き除去部は、前記基準読取線速の場合には、前記色付き除去処理を実行せず、前記基準読取線速より高い読取線速の場合には、前記色付き除去処理を実行することを特徴とする請求項１または請求項２記載の画像読取装置。
【請求項４】
前記色付き除去部は、前記注目画素のＲ画素値、Ｇ画素値、およびＢ画素値を、前記Ｒ画素値、前記Ｇ画素値、および前記Ｂ画素値の平均値に置き換えて、前記注目画素の色付きを除去することを特徴とする請求項１から請求項３のうちのいずれか１項記載の画像読取装置。
【請求項５】
前記色付き除去部は、前記副走査方向の幅が２画素以下である線画部分における画素を前記注目画素とすることを特徴とする請求項１から請求項４のうちのいずれか１項記載の画像読取装置。
【請求項６】
ＲＧＢに対応する３つのラインセンサーを備えるイメージセンサーと、
基準解像度を得るための基準読取線速より高い読取線速で前記イメージセンサーの読取位置を前記副走査方向へ移動させつつ、原稿からの反射光に基づいて前記ラインセンサーで前記副走査方向においてそれぞれ異なる読取位置でのＲＧＢの画素値を検出する読取制御部と、
前記原稿画像内の各画素について、線画であるか否かを示す画素属性を特定する画素属性特定部と、
前記原稿画像内の注目画素に色付きが発生しているか否かを判定し、前記注目画素に色付きが発生している場合には、前記注目画素の色付きを除去する色付き除去処理を実行する色付き除去部とを備え、
前記色付き除去部は、前記色付き除去処理において、（ａ）前記注目画素が、線画の前記画素属性を有する画素であり、（ｂ）副走査方向において前記注目画素に対して近接する近接画素が、線画の前記画素属性を有する画素であり、（ｃ）前記注目画素のＲ値、Ｇ値、およびＢ値のうちの最大値と最小値との差が所定の閾値以上であり、かつ、前記近接画素のＲ値、Ｇ値、およびＢ値のうちの最大値と最小値との差が前記所定の閾値以上であり、かつ、（ｄ）前記注目画素の前記最大値の色種別と前記近接画素の前記最小値の色種別とが同一であるか、前記注目画素の前記最小値の色種別と前記近接画素の前記最大値の色種別とが同一である場合、前記注目画素および前記近接画素に色付きが発生していると判定し、前記注目画素および前記近接画素の色付きを除去すること、
を特徴とする画像読取装置。
【発明の詳細な説明】
【技術分野】
【０００１】
本発明は、画像読取装置に関するものである。
【背景技術】
【０００２】
近年の読取速度向上の要求に伴い、ある画像読取装置は、センサーの画素解像度を実現する基準スキャン線速より速くスキャン走査させることで、スキャン速度を高くしている。
【０００３】
この場合、所定周期で画素値の読み取りが行われており、スキャン走査速度だけを高くしているので、実際に副走査方向において読み取られる画素数が少なくなり、ＲＧＢの各色について、原稿画像のうち、読み取られない部分（画素位置）が発生する。そのため、副走査方向に沿ってグレー画像の濃度が変化している箇所では、ＲＧＢのうちの一部の色が他の色とは異なった画素値変化を示し、色付きが発生してしまう。図７は、スキャン速度を高くした場合の色付きの発生について説明するタイミングチャートである。例えば図７に示すように、基準読取線速では、ＲＧＢのすべての色について、画素値が検出される画素位置が同一になっているため、副走査方向に沿ってグレー画像の濃度が変化している箇所でも、ＲＧＢのすべての色が同一の画素値変化を示すため、色付きが発生しない。しかし、読取線速を高くした場合、ＲおよびＢとＧとで異なる画素位置で画素値が検出されるため、副走査方向に沿ってグレー画像の濃度が変化している箇所では、ＲＧＢのうちの一部の色が他の色とは異なった画素値変化を示し、色付きが発生してしまう。
【０００４】
このような、色付きを解消するために、ある画像読取装置は、カラー画素の前後がモノクロ画素である場合、そのカラー画素を異常とみなし、異常画素として検出している（例えば特許文献１参照）。
【先行技術文献】
【特許文献】
【０００５】
【特許文献１】特開２０１３−１３１８６１号公報
【発明の概要】
【発明が解決しようとする課題】
【０００６】
しかしながら、主走査方向に延びる細線（無彩色の細線）の場合、副走査方向の幅が狭いため、その細線の位置によっては細線すべてに色付きが発生してしまい、無彩色部分が発生しないときには、上述の技術では、その色付きが発生した画素が検出されない。
【０００７】
本発明は、上記の問題に鑑みてなされたものであり、線画の全域に色付きが発生していても、色付きを検出する画像読取装置を得ることを目的とする。
【課題を解決するための手段】
【０００８】
本発明に係る画像読取装置は、ＲＧＢに対応する３つのラインセンサーを備えるイメージセンサーと、基準解像度を得るための基準読取線速より高い読取線速で前記イメージセンサーの読取位置を前記副走査方向へ移動させつつ、原稿からの反射光に基づいて前記ラインセンサーで前記副走査方向においてそれぞれ異なる読取位置でのＲＧＢの画素値を検出する読取制御部と、前記原稿画像内の各画素について、線画であるか否かを示す画素属性を特定する画素属性特定部と、前記原稿画像内の注目画素に色付きが発生しているか否かを判定し、前記注目画素に色付きが発生している場合には、前記注目画素の色付きを除去する色付き除去処理を実行する色付き除去部とを備える。そして、前記色付き除去部は、前記色付き除去処理において、（ａ）前記注目画素が、線画の前記画素属性を有するカラー画素であり、かつ、（ｂ）副走査方向において前記注目画素に対して前後に近接する２つの近接画素の一方が、線画の前記画素属性を有するカラー画素であり、（ｃ）前記注目画素と、線画の前記画素属性を有するカラー画素である前記近接画素との間の色相差が所定の閾値以上である場合、前記注目画素に色付きが発生していると判定し、前記注目画素の色付きを除去する。また、本発明に係る画像読取装置では、前記色付き除去部は、前記色付き除去処理において、（ａ）前記注目画素が、線画の前記画素属性を有する画素であり、（ｂ）副走査方向において前記注目画素に対して近接する近接画素が、線画の前記画素属性を有する画素であり、（ｃ）前記注目画素のＲ値、Ｇ値、およびＢ値のうちの最大値と最小値との差が所定の閾値以上であり、かつ、前記近接画素のＲ値、Ｇ値、およびＢ値のうちの最大値と最小値との差が前記所定の閾値以上であり、かつ、（ｄ）前記注目画素の前記最大値の色種別と前記近接画素の前記最小値の色種別とが同一であるか、前記注目画素の前記最小値の色種別と前記近接画素の前記最大値の色種別とが同一である場合、前記注目画素および前記近接画素に色付きが発生していると判定し、前記注目画素および前記近接画素の色付きを除去するようにしてもよい。
【発明の効果】
【０００９】
本発明によれば、線画の全域に色付きが発生していても、色付きが検出される。
【００１０】
本発明の上記又は他の目的、特徴および優位性は、添付の図面とともに以下の詳細な説明から更に明らかになる。
【図面の簡単な説明】
【００１１】
【図１】図１は、本発明の実施の形態に係る画像読取装置の内部構成を示す側面図である。
【図２】図２は、図１に示す画像読取装置の電気的構成を示すブロック図である。
【図３】図３は、副走査方向において注目画素に近接する近接画素を説明する図である。
【図４】図４は、実施の形態１における色付き除去部３３の動作について説明するフローチャートである。
【図５】図５は、実施の形態２における近接画素を説明する図である。
【図６】図６は、実施の形態２における色付き除去部３３の動作について説明するフローチャートである。
【図７】図７は、スキャン速度を高くした場合の色付きの発生について説明するタイミングチャートである。
【発明を実施するための形態】
【００１２】
以下、図に基づいて本発明の実施の形態を説明する。
【００１３】
実施の形態１．
【００１４】
図１は、本発明の実施の形態に係る画像読取装置の内部構成を示す側面図である。図１に示す画像読取装置は、スキャナー、複写機、デジタル複合機などといった装置である。図１において、コンタクトガラス１は、当該画像読取装置本体の上面に設置され、画像読取時に原稿が載置される透明な載置台である。また、キャリッジ２は、図示せぬ駆動源によって副走査方向に移動可能に設置されている。キャリッジ２は、光源１１とミラー１２とを有する。光源１１は、主走査方向に沿って配置され、例えば配列された複数の発光ダイオードで光を出射する。光源１１から出射された光は、キャリッジ２の位置に応じて、コンタクトガラス１上に載置された原稿に入射する。原稿に入射した光は、原稿の表面で反射する。そして、ミラー１２は、原稿からのその反射光をキャリッジ３に向けて反射する。
【００１５】
また、キャリッジ３は、図示せぬ駆動源によってキャリッジ２とともに副走査方向に移動可能に設置されている。キャリッジ３は、ミラー１３，１４を有する。ミラー１３，１４は、キャリッジ２のミラー１２からの光を２度反射して副走査方向に沿って出射する。
【００１６】
結像レンズ４は、キャリッジ３のミラー１４からの光をイメージセンサー５に結像させる。イメージセンサー５は、ＲＧＢに対応する３つのラインセンサー５Ｒ，５Ｇ，５Ｂを備え、キャリッジ３のミラー１４からの光は、それらのラインセンサー５Ｒ，５Ｇ，５Ｂ上に結像される。各ラインセンサー５Ｒ，５Ｇ，５Ｂは、主走査方向に配列された所定の画素数の受光素子を有する１次元イメージセンサーであり、ラインごとに、その画素数の画素についての受光量に対応する電気信号を出力する。ラインセンサー５Ｒ，５Ｇ，５Ｂには、例えば、ＣＣＤ（Charge Coupled Device）が使用される。
【００１７】
キャリッジ２，３、結像レンズ４、イメージセンサー５、光源１１、ミラー１２、ミラー１３，１４、キャリッジ２，３を副走査方向において移動させる図示せぬ駆動部などにより、コンタクトガラス１に載置され原稿カバー６で抑えられた原稿の画像を読み取る画像読取部２１が構成されている。
【００１８】
図２は、図１に示す画像読取装置の電気的構成を示すブロック図である。図２において、画像処理装置２２は、画像読取部２１により読み取られた画像に対して画像処理を行う内部装置である。画像処理装置２２は、例えばＡＳＩＣ（Application Specific Integrated Circuit）や、制御プログラムに従って動作するコンピューターなどで実現される。
【００１９】
画像処理装置２２は、読取制御部３１、画素属性特定部３２、および色付き除去部３３を備える。
【００２０】
読取制御部３１は、画像読取部２１を制御して、所定の基準解像度（例えば６００ｄｐｉ）を得るための基準読取線速より高い読取線速でイメージセンサー５の読取位置を副走査方向へ移動させつつ、原稿からの反射光に基づいてラインセンサー５Ｒ，５Ｇ，５Ｂで副走査方向においてそれぞれ異なる読取位置でのＲＧＢ３色の画素値を検出する。これにより、原稿画像についてのＲＧＢ各色の１頁分の画像データが得られ、図示せぬメモリーなどに格納される。
【００２１】
画素属性特定部３２は、原稿画像内の各画素について、線画であるか否かを示す画素属性を特定する。例えば、画素属性特定部３２は、原稿画像内のオブジェクトを、階調画像（写真など）、文字、罫線などの線画などに分類する領域分割技術を使用して、画素属性を特定する。なお、例えば、画素属性特定部３２は、原稿画像内の線画を検出する際に、原稿画像を無彩化してから原稿画像内のエッジを検出し、その検出したエッジに基づいて線画を検出する。
【００２２】
色付き除去部３３は、色付き除去処理を実行する。色付き除去処理は、原稿画像内の注目画素に色付きが発生しているか否かを判定し、注目画素に色付きが発生している場合には、注目画素の色付きを除去する処理である。
【００２３】
図３は、副走査方向において注目画素に近接する近接画素を説明する図である。
【００２４】
具体的には、色付き除去部３３は、注目画素のＲＧＢ画素値に基づいて注目画素の彩度および色相を計算し、注目画素の彩度が所定の閾値ＴＨ＿ｓａｔを超えている場合には、注目画素がカラー画素（つまり、有彩色の画素）であると判定し、注目画素の彩度が所定の閾値ＴＨ＿ｓａｔを超えていない場合には、注目画素がグレー画素（つまり、無彩色の画素）であると判定する。同様に、図３に示すように、副走査方向において注目画素に対して前後に近接する２つの近接画素について、色付き除去部３３は、各近接画素のＲＧＢ画素値に基づいて近接画素の彩度および色相を計算し、近接画素の彩度が所定の閾値ＴＨ＿ｓａｔを超えている場合には、その近接画素がカラー画素（つまり、有彩色の画素）であると判定し、近接画素の彩度が所定の閾値ＴＨ＿ｓａｔを超えていない場合には、その近接画素がグレー画素（つまり、無彩色の画素）であると判定する。
【００２５】
そして、色付き除去部３３は、色付き除去処理において、注目画素について、（ａ）注目画素が、線画の画素属性を有するカラー画素であり、かつ、（ｂ）図３に示す２つの近接画素の一方が、線画の画素属性を有するカラー画素であり、（ｃ）注目画素と、線画の画素属性を有するカラー画素である近接画素との間の色相差が所定の閾値ＴＨ＿ｈｕｅ以上である場合、注目画素に色付きが発生していると判定し、注目画素の色付きを除去する。
【００２６】
また、この実施の形態では、色付き除去部３３は、色付き除去処理において、（ａ）注目画素が、線画の前記画素属性を有するカラー画素であり、かつ、（ｂ）図３に示す２つの近接画素の一方が、線画の前記画素属性を有するカラー画素であり、かつ２つの近接画素の他方が、非線画の前記画素属性を有するかグレー画素であり、かつ、（ｃ）注目画素と、線画の画素属性を有するカラー画素である近接画素との間の色相差が所定の閾値以上である場合、注目画素に色付きが発生していると判定し、注目画素の色付きを除去する。
【００２７】
さらに、この実施の形態では、色付き除去部３３は、注目画素のＲ画素値、Ｇ画素値、およびＢ画素値を、それらのＲ画素値、Ｇ画素値、およびＢ画素値の平均値に置き換えて、注目画素の色付きを除去する。
【００２８】
次に、当該実施の形態に係る画像読取装置の動作について説明する。図４は、図２における色付き除去部３３の動作について説明するフローチャートである。
【００２９】
まず、読取制御部３１は、ユーザー設定などに基づいて指定された読取線速で、１頁の原稿画像の画像データ（ＲＧＢ画素値）を取得する。
【００３０】
次に、画素属性特定部３２は、取得した１頁分の画像データに基づいて、原稿画像における各画素の画素属性を特定する。
【００３１】
そして、色付き除去部３３は、色付き除去処理を実行する。色付き除去部３３は、原稿画像内の画素から注目画素を例えば所定の走査順に選択していき、その注目画素に対して図４に示す処理を実行する。
【００３２】
色付き除去部３３は、まず、横１画素、縦３画素の参照領域内の画素（つまり、注目画素、第１近接画素および第２近接画素）について、カラー／グレー判定を行う（ステップＳ１）。
【００３３】
このとき、色付き除去部３３は、参照領域内の各画素の彩度および色相を計算し、その彩度に基づいて上述のように参照領域内の各画素がカラー画素であるかグレー画素であるかを判定する。
【００３４】
例えば、第１近接画素のＲＧＢ値が（１２０，２４６，１２４）であり、注目画素のＲＧＢ値が（２０８，１７９，２１５）であり、第２近接画素のＲＧＢ値が（２３７，２３６，２４１）である場合、第１近接画素の彩度Ｓおよび色相Ｈは、（９８，１２２）となり、注目画素の彩度Ｓおよび色相Ｈは、（２４，２８８）となり、第２近接画素の彩度Ｓおよび色相Ｈは、（３，２５２）となる。したがって、この場合、第１近接画素および注目画素はカラー画素であると判定され、第２近接画素はグレー画素であると判定される。
【００３５】
次に、色付き除去部３３は、注目画素が線画属性（つまり、線画であることを示す画素属性）のカラー画素であるか否かを判定する（ステップＳ２）。
【００３６】
注目画素が線画属性のカラー画素である場合、色付き除去部３３は、一方の近接画素が線画属性のカラー画素であり、かつ他方の近接画素がグレー画素または非線画属性の画素であるか否かを判定する（ステップＳ３）。
【００３７】
この注目画素に関し、一方の近接画素が線画属性のカラー画素であり、かつ他方の近接画素がグレー画素または非線画属性の画素である場合、色付き除去部３３は、注目画素と線画属性のカラー画素である近接画素との間の色相差を計算し、その色相差が所定の閾値以上であるか否かを判定する（ステップＳ４）。
【００３８】
色付きの場合、ＲＧＢの少なくとも１つの色の画素値が、本来の正しい値から大きく異なっているため、このように、線画内において副走査方向に互いに隣接する画素の色相差に基づいて、色付きが検出される。
【００３９】
そして、その色相差が所定の閾値以上である場合、色付き除去部３３は、注目画素に色付きが発生していると判定し、注目画素をグレー化して注目画素の色付きを除去する（ステップＳ５）。
【００４０】
上述の例において、第１近接画素および注目画素が線画属性を有し、第２近接画素が非線画属性を有する場合、第１近接画素は線画属性のカラー画素であり、第２近接画素が非線画属性のグレー画素であり、注目画素と第１近接画素との色相差が１６６度であり、閾値ＴＨ＿ｈｕｅ（例えば１２０度）以上であるので、注目画素に色付きが発生していると判定され、グレー化によって除去される。
【００４１】
なお、注目画素が線画属性のカラー画素ではない場合（ステップＳ２）、一方の近接画素が線画属性のカラー画素ではないか、他方の近接画素がグレー画素および非線画属性の画素のいずれでもない場合（ステップＳ３）、および注目画素と線画属性のカラー画素である近接画素との間の色相差が所定の閾値以上ではない場合（ステップＳ４）においては、色付き除去部３３は、注目画素に色付きが発生していないと判定し、色付き除去処理を行わない。
【００４２】
その後、このようにして色付き除去処理された画像データが１つのデータファイルとして図示せぬ内蔵通信装置で出力されたり、色付き除去処理された画像データに基づく原稿画像が図示せぬ内蔵印刷装置で印刷されたりする。
【００４３】
以上のように、上記実施の形態１によれば、読取制御部３１は、基準解像度を得るための基準読取線速より高い読取線速でイメージセンサー５の読取位置を副走査方向へ移動させつつ、原稿からの反射光に基づいてラインセンサー５Ｒ，５Ｇ，５Ｂで副走査方向においてそれぞれ異なる読取位置でのＲＧＢの画素値を検出する。画素属性特定部３２は、原稿画像内の各画素について、線画であるか否かを示す画素属性を特定する。色付き除去部３２は、原稿画像内の注目画素に色付きが発生しているか否かを判定し、注目画素に色付きが発生している場合には、注目画素の色付きを除去する。そして、色付き除去部３３は、色付き除去処理において、（ａ）注目画素が、線画の画素属性を有するカラー画素であり、かつ、（ｂ）副走査方向において注目画素に対して前後に近接する２つの近接画素の一方が、線画の画素属性を有するカラー画素であり、（ｃ）注目画素と、線画の画素属性を有するカラー画素である近接画素との間の色相差が所定の閾値以上である場合、注目画素に色付きが発生していると判定し、注目画素の色付きを除去する。
【００４４】
これにより、線画の全域に色付きが発生していても、色付きが検出される。
【００４５】
実施の形態２．
【００４６】
実施の形態２では、色付き除去部３３は、実施の形態１とは異なる色付き除去処理を実行する。図５は、実施の形態２における近接画素を説明する図である。具体的には、実施の形態２では、色付き除去部３３は、色付き除去処理において、（ａ）注目画素が、線画の画素属性を有する画素であり、（ｂ）副走査方向において注目画素に対して近接する近接画素が、線画の画素属性を有する画素であり、（ｃ）注目画素のＲ値、Ｇ値、およびＢ値のうちの最大値と最小値との差が所定の閾値以上であり、かつ、近接画素のＲ値、Ｇ値、およびＢ値のうちの最大値と最小値との差が所定の閾値以上であり、かつ、（ｄ）注目画素の最大値の色種別と近接画素の最小値の色種別とが同一であるか、注目画素の最小値の色種別と近接画素の最大値の色種別とが同一である場合、注目画素および近接画素に色付きが発生していると判定し、注目画素および近接画素の色付きを除去する。
【００４７】
次に、実施の形態２に係る画像読取装置の動作について説明する。図６は、実施の形態２における色付き除去部３３の動作について説明するフローチャートである。
【００４８】
まず、読取制御部３１は、ユーザー設定などに基づいて指定された読取線速で、１頁の原稿画像の画像データ（ＲＧＢ画素値）を取得する。
【００４９】
次に、画素属性特定部３２は、取得した１頁分の画像データに基づいて、原稿画像における各画素の画素属性を特定する。
【００５０】
そして、色付き除去部３３は、色付き除去処理を実行する。色付き除去部３３は、原稿画像内の画素から注目画素を例えば所定の走査順に選択していき、その注目画素に対して図６に示す処理を実行する。
【００５１】
色付き除去部３３は、まず、注目画素および近接画素が、それぞれ、線画属性の画素であるか否かを判定する（ステップＳ２１）。
【００５２】
注目画素および近接画素が線画属性の画素である場合、色付き除去部３３は、注目画素および近接画素のそれぞれについて、ＲＧＢ値のうちのＲ値、Ｇ値、およびＢ値のうちの最大値および最小値、並びに、最大値の色種別および最小値の色種別を特定する（ステップＳ２２）。例えば、注目画素のＲＧＢ値が（１２０，２４６，１２４）である場合、注目画素の最大値および最小値は、２４６および１２０であり、最大値の色種別は、Ｇであり、最小値の色種別は、Ｒである。また、例えば、近接画素のＲＧＢ値が（２０８，１７９，２１５）である場合、注目画素の最大値および最小値は、２１５および１７９であり、最大値の色種別は、Ｂであり、最小値の色種別は、Ｇである。
【００５３】
次に、色付き除去部３３は、注目画素についての上述の最大値と最小値との差が所定の閾値以上であり、かつ、近接画素についての上述の最大値と最小値との差が所定の閾値以上であるか否かを判定する（ステップＳ２３）。
【００５４】
上述の例の場合、注目画素についての上述の最大値と最小値との差は、１２６（＝２４６−１２０）であり、近接画素についての上述の最大値と最小値との差は、３６（＝２１５−１７９）であり、いずれも、所定の閾値以上となる。
【００５５】
注目画素についての上述の最大値と最小値との差が所定の閾値以上であり、かつ、近接画素についての上述の最大値と最小値との差が所定の閾値以上である場合、色付き除去部３３は、注目画素についての上述の最大値の色種別と近接画素についての上述の最小値の色種別とが同一であるか、あるいは、注目画素についての上述の最小値の色種別と近接画素についての上述の最大値の色種別とが同一であるか否かを判定する（ステップＳ２４，Ｓ２５）。
【００５６】
注目画素についての上述の最大値の色種別と近接画素についての上述の最小値の色種別とが同一であるか、あるいは、注目画素についての上述の最小値の色種別と近接画素についての上述の最大値の色種別とが同一である場合、色付き除去部３３は、注目画素および近接画素に色付きが発生していると判定し、注目画素および近接画素をグレー化して注目画素の色付きを除去する（ステップＳ２６）。
【００５７】
上述の例の場合、注目画素についての上述の最大値の色種別（＝Ｇ）と、近接画素についての上述の最小値の色種別（＝Ｇ）が同一であると判定されるので、注目画素および近接画素がグレー化される。
【００５８】
なお、注目画素が線画属性の画素ではない場合（ステップＳ２１）、上述の最大値と最小値との差が所定の閾値以上ではない場合（ステップＳ２３）、および、注目画素についての上述の最大値の色種別と近接画素についての上述の最小値の色種別とが同一でもなく、かつ、注目画素についての上述の最小値の色種別と近接画素についての上述の最大値の色種別とが同一でもない場合（ステップＳ２４，Ｓ２５）においては、色付き除去部３３は、上述の色付き除去処理を行わない。
【００５９】
その後、このようにして色付き除去処理された画像データが１つのデータファイルとして図示せぬ内蔵通信装置で出力されたり、色付き除去処理された画像データに基づく原稿画像が図示せぬ内蔵印刷装置で印刷されたりする。
【００６０】
なお、実施の形態２に係る画像読取装置のその他の構成および動作については実施の形態１と同様であるので、その説明を省略する。
【００６１】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【００６２】
例えば、上記実施の形態において、色付き除去部３３は、画像読取時の設定により指定される読取線速が基準読取線速である場合には、上述の色付き除去処理を実行せず、指定される読取線速が基準読取線速より高い読取線速の場合には、上述の色付き除去処理を実行するようにしてもよい。
【００６３】
また、上記実施の形態において、色付き除去部３３は、画素属性特定部３２により特定された画素属性に基づいて、副走査方向の幅が２画素以下である線画部分を特定し、その特定した線画部分に属する画素（つまり線画属性を有する画素）を特定し、特定した画素を上述の注目画素とし、その他の画素を注目画素としないようにしてもよい。
【００６４】
また、上記実施の形態において、ステップＳ３の処理では、色付き除去部３３は、一方の近接画素が線画属性のカラー画素であるか否かのみを判定するようにしてもよい。
【産業上の利用可能性】
【００６５】
本発明は、例えば、スキャナー、複写機、複合機などに適用可能である。
【符号の説明】
【００６６】
５  イメージセンサー
５Ｒ，５Ｇ，５Ｂ  ラインセンサー
３１  読取制御部
３２  画素属性特定部
３３  色付き除去部
【図１】
2018056988.tif 000003
【図２】
2018056988.tif 000004
【図３】
2018056988.tif 000005
【図４】
2018056988.tif 000006
【図５】
2018056988.tif 000007
【図６】
2018056988.tif 000008
【図７】
2018056988.tif 000009